(57)【要約】【課題】下枠と障子の下框との間の等圧空間を外気圧と等気圧にすることができ、とくに高風圧時においても屋内への雨水の浸入を防止できる。【解決手段】下枠１２は、内障子を案内する内側レール１２４を有する上段部１２１と、外障子を案内する外側レール１２３を有する下段部１２２と、を備え、上段部１２１には、上段部１２１の上方で内障子の下框との間において等圧空間Ｒが形成され、かつ内側レール１２４の屋内側から屋外側に貫通するとともに、上下方向に貫通する第１水抜き孔１４Ａが形成され、第１水抜き孔１４Ａには、第１水抜き孔１４Ａの開口を覆う排水キャップ３が設けられ、排水キャップ３の下端３１ａは、外側レール１２３の上端１２３ａよりも上方に位置している構成の建具を提供する。【選択図】図４
2020122366.tif 000002
【特許請求の範囲】
【請求項１】
枠体と、前記枠体の内部の屋外側に設けられた外障子、及び屋内側に設けられた内障子を有する障子と、を備えた建具であって、
前記枠体の下枠は、前記内障子を案内する内側レールを有する上段部と、前記外障子を案内する外側レールを有する下段部と、を備え、
前記上段部には、該上段部の上方で前記内障子の下框との間において等圧空間が形成され、かつ前記内側レールの屋内側から屋外側に貫通するとともに、上下方向に貫通する水抜き孔が形成され、
前記水抜き孔には、当該水抜き孔の開口を覆う排水キャップが設けられ、
前記排水キャップの下端は、前記外側レールの上端よりも上方に位置していることを特徴とする建具。
【請求項２】
前記内障子の前記下框には、前記上段部の上方において前記内側レールに対して接触または近接して配置される水切材が設けられている請求項１に記載の建具。
【請求項３】
前記下枠における前記水抜き孔は、閉じた状態の前記内障子の戸先側に設けられている請求項１又は２に記載の建具。
【発明の詳細な説明】
【技術分野】
【０００１】
本発明は、建具に関するものである。
【背景技術】
【０００２】
従来、引き違い窓等の建具では、例えば特許文献１に示されるような、下枠のレール（下枠レール）の屋内側において下枠と障子の下框との間に形成される空間を外気圧と等気圧にすることにより屋外の雨水が屋内に入らないように水密性をもたせた等圧構造とすることが行われている。
このような建具では、障子の屋外側に下枠レールに対して接触または近接する水切材が設けられ、下枠に当たって跳ね返った雨水が下枠レールの屋内側の前記空間に浸入することを防止している。
【先行技術文献】
【特許文献】
【０００３】
【特許文献１】特開２０１３−０６７９７９号公報
【発明の概要】
【発明が解決しようとする課題】
【０００４】
しかしながら、従来のような障子に設けられる水切材を有する建具では、水切材が下枠レールの近傍まで延ばされているので、前記空間内と外気との圧力差が生じやすくなる。つまり、その空間が外気と等気圧になり難く、当該空間の圧力が外気よりも低くなって、雨水が屋内側に浸入する場合があることから、その点で改善の余地があった。
【０００５】
そこで、本発明は、上記事情に鑑みてなされたものであり、下枠と障子の下框との間の空間を外気圧と等気圧にすることができ、とくに高風圧時において屋内への雨水の浸入を防止できる建具を提供する。
【課題を解決するための手段】
【０００６】
上記目的を達成するために、本発明は以下の手段を採用している。
すなわち、本発明に係る建具は、枠体と、前記枠体の内部の屋外側に設けられた外障子、及び屋内側に設けられた内障子を有する障子と、を備えた建具であって、前記枠体の下枠は、前記内障子を案内する内側レールを有する上段部と、前記外障子を案内する外側レールを有する下段部と、を備え、前記上段部には、該上段部の上方で前記内障子の下框との間において等圧空間が形成され、かつ前記内側レールの屋内側から屋外側に貫通するとともに、上下方向に貫通する水抜き孔が形成され、前記水抜き孔には、当該水抜き孔の開口を覆う排水キャップが設けられ、前記排水キャップの下端は、前記外側レールの上端よりも上方に位置していることを特徴としている。
【０００７】
本発明に係る建具によれば、下枠の上段部上に溜まった雨水が水抜き孔から下方に排水される。また、水抜き孔に排水キャップが設けられているので、下枠の下段部上に溜まる雨水が段部の上方に形成される等圧空間へ流入することが抑制され、水密性を確保することができる。
そして、排水キャップの下端が外側レールの上端よりも上方に位置しているので、排水キャップの下端が下段部に溜まる水に浸かることがない。そのため、等圧空間には、水抜き孔に設けられた排水キャップ内の通路を通過した外気が送り込まれることになる。これにより、等圧空間を外気圧と等気圧にすることが可能となり、等圧空間を介して屋内側に雨水が浸入することを防止できる。
【０００８】
また、本発明に係る建具では、前記内障子の前記下框には、前記上段部の上方において前記内側レールに対して接触または近接して配置される水切材が設けられていることが好ましい。
【０００９】
この場合には、水切材によって上段部上で跳ね上がった雨水の等圧空間側への浸入を抑えることができる。
【００１０】
また、本発明に係る建具では、前記下枠における前記水抜き孔は、閉じた状態の前記内障子の戸先側に設けられていることが好ましい。
【００１１】
この場合には、水抜き孔が下枠における縦枠寄りの位置に配置されているので、上段部上に溜まる雨水を効率よく下段部側に排水することができる。
【発明の効果】
【００１２】
本発明に係る建具によれば、下枠と障子の下框との間の空間を外気圧と等気圧にすることができ、とくに高風圧時において屋内への雨水の浸入を防止できる。
【図面の簡単な説明】
【００１３】
【図１】本発明の一実施形態による引き違い窓を屋内側から見た正面図である。
【図２】図１の引き違い窓における外障子と内障子の縦断面図である。
【図３】図２の下枠と内障子の構成を示す要部拡大図である。
【図４】図３に示す下枠に排水キャップを設けた状態を示す要部拡大図である。
【図５】下枠の水抜き孔を上方から見た平面図である。
【図６】排水キャップを長手方向から見た側面図である。
【図７】排水キャップを屋外側から見た側面図である。
【図８】排水キャップを屋内側の斜め下方から見た斜視図である。
【発明を実施するための形態】
【００１４】
以下、本発明の一実施形態による建具について、図面に基づいて説明する。
【００１５】
図１に示すように、本実施形態による引き違い窓１００（建具）は、建築物の開口部に設けられ、四角形枠状に形成された枠体１と、枠体１に対して左右方向にスライド可能に設けられた一対の障子２（２Ａ、２Ｂ）と、を備えた２枚建ての引き違い窓を構成している。ここで、屋外側に位置する障子を外障子２Ａといい、屋内側に位置する障子を内障子２Ｂという。
【００１６】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００１７】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。
本実施形態では、引き違い窓１００はアルミ樹脂複合サッシを対象としている。枠体１は、金属製の縦枠１３に対して金属製の上枠１１及び下枠１２の端部を突き当ててビス等の固定具で固定されている。枠体１は、アルミニウム製の押出成形部材で構成されている。
【００１８】
一対の障子２Ａ、２Ｂは、枠体１の屋外側及び屋内側にそれぞれ設けられている。外障子２Ａ及び内障子２Ｂは、それぞれ障子２Ａ、２Ｂを閉じた状態で、枠体１内を閉塞するように配置されている。各障子２は、四方枠状に形成された框体と、框体内に納められた複層ガラス２０と、を有している。
【００１９】
框体は、左右方向に延在する上框２１及び下框２２と、上框２１の両端部と下框２２の両端部とをそれぞれ連結し上下方向に延在する召合せ框２３及び戸先框２４（なお、上框２１、下框２２、召合せ框２３及び戸先框２４のそれぞれを単に「框」と称することがある。）と、を有している。
【００２０】
本実施形態では、框体は、アルミニウム製の押出成形部材で構成されており、屋内側面が樹脂で覆われている。上框２１、下框２２は、召合せ框２３及び戸先框２４に両端部が突き当てられて枠組みされており、ビス等の固定具で固定されている。下框２２には、下枠１２に沿って左右方向に走行可能な戸車２５（図２参照）が設けられている。
【００２１】
図２に示すように、上枠１１は、左右方向に延びる上枠壁部１１１と、上枠壁部１１１から下方に延びるととともに左右方向に沿って延在し屋内外方向に間隔をあけて設けられる一対のレール案内壁１１２Ａ、１１２Ｂと、を有している。屋外側の外レール案内壁１１２Ａと屋外側の内レール案内壁１１２Ｂの下部分には、それぞれ外障子２Ａと内障子２Ｂの上端が左右方向にスライド自在に案内されるようになっている。
【００２２】
下枠１２は、図２及び図３に示すように、長手方向に延在するとともに上下に対向する上段部１２１（上段部）および下段部１２２と、下段部１２２から上方に向けて突出し外障子２Ａの下端（戸車２５）がスライド可能に係合する外側レール１２３と、上段部１２１から上方に向けて突出し内障子２Ｂの下端（戸車２５）がスライド可能に係合する内側レール１２４と、を備えている。
上段部１２１と下段部１２２とは、それぞれの屋内側で一対の縦連結部１２５、１２６によって連結されている。縦連結部１２５、１２６は、長手方向に延在し、外側の縦連結部１２５と内側の縦連結部１２６とが互いに間隔をあけて対向して配置されている。上段部１２１の内端には、上方に向かって突出する側壁部１２７が設けられている。外側レール１２３の上端は、上段部１２１よりも低い位置になっている。
【００２３】
上段部１２１には、図４に示すように、内側レール１２４と外側レール１２３との間で上下方向に貫通する第１水抜き孔１４Ａが形成されている。第１水抜き孔１４Ａは、内障子２Ｂを閉じた時において下枠１２の長手方向の戸先側に設けられている。
また、内側レール１２４には、屋内外方向に貫通する第２水抜き孔１４Ｂが長手方向に所定の間隔をあけて形成されている。
これら水抜き孔１４Ａ、１４Ｂを通じて、上段部１２１における内側レール１２４の屋内側の雨水Ｗが下段部１２２の上面に導水される。
【００２４】
下段部１２２には、外側レール１２３と外側の縦連結部１２５との間に凹溝部１２８が形成されている。上記水抜き孔１４Ａ、１４Ｂを通じて凹溝部１２８内に導水した雨水Ｗは、外側レール１２３に対して屋内外に貫通する排水孔１９から外部に排出される。ここで、凹溝部１２８に溜まる雨水Ｗは、基本的には排水孔１９から排出されるが、凹溝部１２８内で増大した雨水Ｗは外側レール１２３を越えて屋外側に流出する。
【００２５】
第１水抜き孔１４Ａは、図５に示すように、上方から見た平面視で左右方向に長い長方形状に形成され、下枠１２の長手方向に所定の間隔をあけて複数（本実施形態では３つ）形成されている。第１水抜き孔１４Ａには、当該第１水抜き孔１４Ａの開口を覆う排水キャップ３が設けられている。
【００２６】
また、下枠１２には、火災時に加熱されるとともに膨張し、下枠１２の水抜き孔１４Ａ、１４Ｂ、排水孔１９を閉塞させ、この排水孔１９に起因して火炎や煙、熱の貫通（流通、伝播）を防止するための熱膨張耐火材（図示省略）が設けられている。
【００２７】
上段部１２１の外端部には、図３に示すように、外障子２Ａの下框２２の内側面に向けて突出する第１気密材１５Ａが設けられている。また、屋内側の側壁部１２７の上端外面には、内障子２Ｂの下框２２の屋内側の側面２２ａに向けて突出する第２気密材１５Ｂが設けられている。これら気密材１５Ａ、１５Ｂは、それぞれ下框２２の長手方向に沿って延在している。
【００２８】
また、下框２２の外框壁２２１には、上段部１２１の上方において内側レール１２４に対して接触または近接した状態で水切材１６が設けられている。水切材１６の突出端１６ａは、図３に示すように、内側レール１２４の外面１２４ａに対して例えば０．５ｍｍ程度をあけて離間している。
【００２９】
排水キャップ３は、第１水抜き孔１４Ａに係合された状態で配置されている。排水キャップ３は、図６〜図８に示すように、有頂筒状のキャップ本体３０と、キャップ本体３０から下方に突出して第１水抜き孔１４Ａに係合する被係合部３１と、を有し、第１水抜き孔１４Ａの長手方向に沿う縦長に形成されている。
【００３０】
キャップ本体３０は、上壁３０１と、一対の側壁３０２と、からなる。上壁３０１は、短辺方向で一方から他方に向けて斜め上方となるように傾斜し、一方側が略鉛直方向に垂下する背面３０１ａを形成している。キャップ本体３０における上壁３０１の他方側は開口し、図４に示すように、開口面３０ａを屋内側に向けて内側レール１２４の外面１２４ａに接するとともに、内側レール１２４に形成される第２水抜き孔１４Ｂを収容するように配置される。
【００３１】
被係合部３１は、キャップ本体３０内側から下方に向けて延びる平面でコ字状に形成され、第１水抜き孔１４Ａに係合されている。被係合部３１の下端３１ａは、図４に示すように、排水キャップ３が第１水抜き孔１４Ａに係合した状態で、外側レール１２３の上端１２３ａよりも上方に位置している。
【００３２】
図１に示すように、外障子２Ａ及び内障子２Ｂに設けられる複層ガラス２０は、屋外側に配置される外ガラスと屋内側に配置される内ガラスとがスペーサを介して一体に設けられている。
各框２１〜２４には、それぞれ複層ガラス２０の端部を保持するガラス保持部が形成されている。複層ガラス２０の四辺の端部は、ガラス保持部内に嵌め込まれている。複層ガラス２０の周縁部において、屋内側の面は、框に係止された押縁によって押さえられている。
【００３３】
次に、各框２１〜２４について説明するが、外障子２Ａと内障子２Ｂは基本的に同様な構造であるので、内障子２Ｂについて詳細に説明する。
【００３４】
内障子２Ｂの上框２１は、図２に示すように、左右方向に沿って延びる外框壁２１１と内框壁２１２とが各面方向を鉛直方向に向けた状態で互いに間隔をあけて対向して配置されている。
【００３５】
上框２１の上部には、外レール案内壁１１２Ａに係止するとともに上向きに開口するレール溝２１６が形成されている。レール溝２１６は、上框２１の延在方向（左右方向）にわたって形成されている。
【００３６】
内障子２Ｂの下框２２は、図２及び図３に示すように、左右方向に沿って延びる外框壁２２１と内框壁２２２とが各面方向を鉛直方向に向けた状態で互いに間隔をあけて対向して配置されている。
外框壁２２１と内框壁２２２との間には、中空状に形成され、左右方向に延びる框ホロー部Ｓ２２が形成されている。框ホロー部Ｓ２２は、屋外側の外框壁２２１と屋内側の内框壁２２２とを連結する上連結壁２２３と下連結壁２２４とにより囲まれた空間を形成している。また、外框壁２２１、内框壁２２２、上連結壁２２３及び下連結壁２２４は、下框２２の左右方向の略全長に沿って形成されている。框ホロー部Ｓ２２において、上連結壁２２３の下面に戸車２５が回転可能に支持されている。
框ホロー部Ｓ２２における外框壁２２１と内框壁２２２とを連結する上連結壁２２３の屋外側には、上連結壁２２３上に溜まった雨水を下枠１２側に排水するための水抜き穴が形成されている。
【００３７】
図１に示すように、内障子２Ｂの召合せ框２３は、外障子２Ａ及び内障子２Ｂが閉じている状態で一対の縦枠１３、１３の間の略中央部に配置されている。戸先框２４は、外障子２Ａ及び内障子２Ｂを閉じている状態で一対の縦枠１３、１３に近接して配置されている。召合せ框２３及び戸先框２４は、図１に示すように、それぞれ上框２１及び下框２２の端面が突き合てられてビス止めされている。
【００３８】
次に、本実施形態による引き違い窓１００の作用について、図面に基づいて詳細に説明する。
図３及び図４に示すように、本実施形態による引き違い窓１００では、下枠１２の上段部１２１上に溜まった雨水Ｗが第２水抜き孔１４Ｂと第１水抜き孔１４Ａを介して下段部１２２側に排水される。また、第１水抜き孔１４Ａに排水キャップ３が設けられているので、下枠１２の下端部１２２上に溜まる雨水が上段部１２１の上方に形成される等圧空間Ｒへ流入することが抑制され、水密性を確保することができる。
【００３９】
そして、図４に示すように、外側レール１２３の上端１２３ａよりも上方に位置しているので、排水キャップ３の下端３１ａが下段部１２２に溜まる水に浸かることがない。そのため、等圧空間Ｒには、第１水抜き孔１４Ａに設けられた排水キャップ３内の通路を通過した外気が第２水抜き孔１４Ｂを介して送り込まれることになる。図４の符号Ｅは、このときの外気の流れを示している。これにより、等圧空間Ｒを外気圧と等気圧にすることが可能となり、等圧空間Ｒを介して屋内側に雨水が浸入することを防止できる。
【００４０】
また、本実施形態では、内障子２Ｂの下框２２に水切材１６を設けることで、上段部１２１上で跳ね上がった雨水Ｗの等圧空間Ｒ側への浸入を抑えることができる。
【００４１】
また、本実施形態では、水抜き孔１４が下枠における縦枠１３寄りの位置に配置されているので、上段部１２１上に溜まる雨水Ｗを効率よく下段部１２２側に排水することができり。
【００４２】
このように本実施の形態では、下枠１２と内障子２Ｂの下框２２との間の等圧空間Ｒを外気圧と等気圧にすることで、とくに高風圧時においても屋内への雨水の浸入を防止できる。
【００４３】
以上、本発明による建具の実施形態について説明したが、本発明は上記の実施形態に限定されるものではなく、その趣旨を逸脱しない範囲で適宜変更可能である。
【００４４】
例えば、本実施形態では、内障子２Ｂの下框２２の、上段部１２１の上方において内側レール１２４に対して接触または近接した状態で水切材１６を設けた構成としているが、この水切材１６を省略することも可能である。
【００４５】
下枠１２における水抜き孔１４の位置は、閉じた状態の内障子２Ｂの戸先側に設けることに限定されることはなく、適宜設定することが可能である。
【００４６】
その他、本発明の趣旨を逸脱しない範囲で、上記した実施形態における構成要素を周知の構成要素に置き換えることは適宜可能である。
【符号の説明】
【００４７】
１００  引き違い窓（建具）
１  枠体
２  障子
２Ａ  外障子
２Ｂ  内障子
３  排水キャップ
１１  上枠
１２  下枠
１３  縦枠
１４Ａ、１４Ｂ  水抜き孔
１６  水切材
１９  排水孔
２０  框体
２１  上框
２２  下框
２３  召合せ框
２４  戸先框
３０  キャップ本体
３１  被係合部
３１ａ  下端
１２１  上段部
１２２  下段部
１２３  外側レール
１２３ａ  上端
１２４  内側レール
１２８  凹溝部
Ｒ  等圧空間
【図１】
2020122366.tif 000003
【図２】
2020122366.tif 000004
【図３】
2020122366.tif 000005
【図４】
2020122366.tif 000006
【図５】
2020122366.tif 000007
【図６】
2020122366.tif 000008
【図７】
2020122366.tif 000009
【図８】
2020122366.tif 000010